(57)【要約】【課題】発光装置を備えた自転車ペダルの発光作用向上。【解決手段】ペダル１、発光ユニット２および回動ユニット３から構成される。ペダル１は両側部に発光ユニット２の挿入溝１１を有し、中央部に支持部１３、一端に支持部１３を連通するペダル軸孔１４を有する。発光ユニット２は挿入溝１１内に設置される発光部２１および歯部２３１を有する永久磁石２３が回動可能に設けられるコイル台２２を有する。回動ユニット３はペダル軸３１、第１の歯車３２および第２の歯車３３を有し、第１の歯車３２はペダル軸孔１４内に設けられるペダル軸３１上に設置され、第２の歯車３３に第１の円盤３３１及び第２の円盤３３２を重ね、第１の円盤３３１は第２の円盤３３２及び第１の歯車３２より小径で、第１の円盤３３１は第１の歯車３２に歯合され、第２の円盤３３２は永久磁石２３に歯合され、これら歯車の回転比により永久磁石の回転数を向上し、発電効率を向上する。【選択図】図１
0003139256.tif 000002
【実用新案登録請求の範囲】
【請求項１】
両側部に挿入溝をそれぞれ有し、中央部分に支持部を有し、一端には前記支持部に貫通するペダル軸孔を有するペダルと、
前記挿入溝内に設置される発光部と、前記発光部と電気的に接続され、ペダルの一端に設けられたコイル台と、コイル台上に回動可能に設けられ、端面に歯車を備えた永久磁石と、を備える発光ユニットと、
前記ペダル軸孔内に回動可能に設けられるペダル軸と、前記ペダル軸上に設けられる第１の歯車と、少なくとも第１の円盤および第２の円盤を有する第２の歯車と、を備え、前記第１の円盤と第２の円盤とを重ね合わせて配置し、前記第１の円盤は第２の円盤および第１の歯車よりも小さく、前記第１の円盤は前記第１の歯車と歯合され、前記第２の円盤は前記永久磁石の歯車と歯合される回動ユニットと、を備えることを特徴とする発光機能付き自転車ペダルの構造。
【請求項２】
前記ペダルの一端には、コイル台、永久磁石および第１、第２の歯車の蓋体が設けられ、前記ペダル軸の一端は前記蓋体の外部に露出することを特徴とする請求項１記載の発光機能付き自転車ペダルの構造。
【請求項３】
前記蓋体の両側部は、前記ペダル両側部の挿入溝と掛合される掛合部をそれぞれ有することを特徴とする請求項２記載の発光機能付き自転車ペダルの構造。
【請求項４】
前記ペダルの各挿入溝の一面は、光反射板をそれぞれ有することを特徴とする請求項１記載の発光機能付き自転車ペダルの構造。
【請求項５】
前記コイル台は、前記発光部と接続されたコイルを有することを特徴とする請求項１記載の発光機能付き自転車ペダルの構造。
【請求項６】
前記発光部は、少なくとも回路板および前記回路板上に設置される多数の発光体を有することを特徴とする請求項１記載の発光機能付き自転車ペダルの構造。
【請求項７】
前記ペダル軸の一端は、クランクアームと結合するねじ山を有することを特徴とする請求項１記載の発光機能付き自転車ペダルの構造。
【請求項８】
前記第２の歯車を設けた第１の円盤は、前記第２の円盤の一端面に設置され、前記第２の円盤の他端面は前記発光ユニットに設けられたコイル台と回動可能に軸支された軸を有することを特徴とする請求項１記載の発光機能付き自転車ペダルの構造。
【請求項９】
前記第２の歯車の一側には、他の第２の歯車が対応して設置され、他の第２の歯車の第１の円盤は第１の歯車と歯合され、第２の円盤は永久磁石の歯部と歯合されることを特徴とする請求項１記載の発光機能付き自転車ペダルの構造。
【考案の詳細な説明】
【技術分野】
【０００１】
本考案は、発光機能付き自転車ペダルの構造に関し、特に、第１および第２の歯車が回動するときの速度差を利用して永久磁石を高速回動させ、それによって十分な発電量を確保して発光ユニットを安定的に発光させることができる自転車ペダルの構造に関する。
【背景技術】
【０００２】
従来技術として、特許文献１の「発光機能を有する自転車ペダルの構造」が開示されており、本構造は、一端に前端部が設けられ、他端に末端部が設けられた枠状のペダル本体を備え、ペダルの前端部および末端部の両端からは側部が形成され、両側部の内側壁間には中心部が設けられる。前端部内には外側に開口部を有する収容部が設けられる。側部の外側面にはレール部が設けられる。前端部の収容部の開口部には蓋体が設けられ、蓋体の中心部に対応する位置には貫通孔が設けられる。側部の前端部と末端部との間には側部板が設けられ、側部板の収容部の両端に隣合う位置には切欠部が上下に設けられ、側部板の外側には枠縁部が設けられ、枠縁部と側部板との間にレール部が形成される。蓋体の両側部は枠縁部の端縁に支持される。ペダル本体の収容部の側壁の開口方向の両端には小型切欠部が設けられる。蓋体はコ型であり、ペダル本体の一面に面し、小型切欠部に対応する掛合部が設けられ、掛合固定される。
【０００３】
中心部に枢動可能に設けられるペダル軸の一端は蓋体の貫通孔から突出する。収容部内の貫通孔に対応する場所には永久磁石が固定され、永久磁石の外側には収容部内端面に接着されるコイル台が設けられ、コイル台と永久磁石との間は所定の距離が保持される。
【０００４】
ペダル本体の側部に挿設される光反射板はレール部内に挿設され、光反射板上には発光部材が固定され、各発光部材はコイル台と接続されており、コイル台が発電した電気エネルギによって各発光部材が発光する。
【０００５】
上述の特許文献１はペダル軸が回動して永久磁石および組合わされたコイル台によって電力が生成され、発光部材にその電力が供給されて発光部材が発光するが、コイル台には蓄電機能がないため、発光動作を行うときはペダル本体を回動させてそのペダル軸を回動させ続け、永久磁石と組合わされたコイル台に電力を生成させる必要があり、自転車の運転者が赤信号、渋滞または上り坂などによってペダル本体を回動させない状況になった場合、永久磁石と組合わされたコイル台は安定した電力を生成させることができず、電力不足となり、発光部材が点滅した状態となり継続した発光をさせることができなくなる。即ち、自転車ペダルを回動させない場合、発光部材は継続した発光を行うことができないので、発光部材は警告効果を失う。
【特許文献１】台湾専利公告第５３０８０６号
【特許文献２】特開２００７−２４６０６３号公報
【特許文献３】特開２００６−１６８６９７号公報
【考案の開示】
【考案が解決しようとする課題】
【０００６】
本考案の目的は、第１および第２の歯車が回動するときの速度差を利用して永久磁石を高速回動させ、それによって十分な発電量を確保して発光ユニットを安定的に発光させることができる発光機能付き自転車ペダルの構造を提供することにある。
【課題を解決するための手段】
【０００７】
上述の課題を解決するために、本考案による発光機能付き自転車ペダルは、ペダル、発光ユニットおよび回動ユニットから構成される。ペダルは両側部に挿入溝を有し、中央部分に支持部を有し、一端に支持部を連通するペダル軸孔を有する。発光ユニットは挿入溝内に設置される発光部および歯部を有する永久磁石が回動可能に設けられるコイル台を有する。回動ユニットはペダル軸、第１の歯車および第２の歯車を有し、第１の歯車はペダル軸孔内に回動可能に設けられるペダル軸上に設置され、第２の歯車はお互いに積層された第１の円盤および第２の円盤を有し、第１の円盤は第２の円盤および第１の歯車より小さく、第１の円盤は第１の歯車に歯合され、第２の円盤は永久磁石に歯合される。
【考案の効果】
【０００８】
第２の歯車の第１の円盤が第２の円盤よりも小さく、第２の歯車の第１の円盤が第１の歯車よりも小さいので、第１の歯車が一周したとき、第２の歯車の第１の円盤は数周回動し、第１の歯車および第２の歯車が回動するときの速度差を利用して第２の円盤が永久磁石の歯部を連動させて永久磁石を高速回動させ、それによって十分な発電量を確保して発光ユニットの発光体を安定的に発光させることができ、供給電力不足によって発光体の発光を継続させることができなかったり、発光が点滅したりすることはない。
【考案を実施するための最良の形態】
【０００９】
図１は、本考案の第１の実施例を示す立体分解図である。図２は、本考案の第１の実施例を示す斜視図である。図に示すように、本考案の第１の実施例は、ペダル１、発光ユニット２および回動ユニット３から構成され、回動ユニット３が回動するときの速度差を利用して発光ユニット２内に設けられた永久磁石２３を高速回動させ、それによって十分な発電量を確保して発光ユニット２を安定的に発光させるものである。
【００１０】
上述のペダル１の両側部は、挿入溝１１を有し、各挿入溝１１の一面は光反射板１２をそれぞれ有する。ペダル１の中央部分は支持部１３を有し、ペダル１の一端は支持部１３と連通したペダル軸孔１４を有する。
【００１１】
発光ユニット２は、上述の挿入溝１１内に設置される発光部２１と、発光部２１と電気的に接続され、ペダル１の一端に設けられるコイル台２２と、コイル台２２上に回動可能に設けられる永久磁石２３と、を備え、発光部２１は少なくとも回路板２１１および回路板２１１上に多数設置される発光体２１２からなり、コイル台２２は回路板２１１と接続されたコイル２２１を有し、永久磁石２３の端面は歯部２３１を有する。
【００１２】
回動ユニット３は、上述のペダル軸孔１４内に回動可能に設けられ、その一端にねじ山３１１を有するペダル軸３１と、ペダル軸３１上に設けられる第１の歯車３２、及び少なくとも第１の円盤３３１および第２の円盤３３２を有する第２の歯車３３とを備える。
第１の円盤３３１は、第２の円盤３３２の一面に重ねて配置され、第２の円盤３３２の他面側には発光ユニット２に設けられたコイル台２２に回動可能に軸支される軸３３３を有する。第１の円盤３３１は、第２の円盤３３２および第１の歯車３２よりも小さく、第１の円盤３３１は第１の歯車３２と歯合され、第２の円盤３３２は永久磁石２３の歯部２３１と歯合される。
【００１３】
ペダル１の一端にはコイル台２２、永久磁石２３および第１、第２の歯車３２、３３の蓋体１５が設けられる。ペダル軸３１の一端のねじ山３１１は蓋体１５から外部に露出する。蓋体１５の両側部は、ペダル１に設けられた挿入溝１１一端と掛合される掛合部１５１をそれぞれ有する。上述の構造によって本考案が構成される。
【００１４】
図３は、本考案の第１の実施例の使用状態を示す斜視図である。図４は、本考案の第１の実施例の上面断面図である。図５は、本考案の第１の実施例の側面断面図である。図に示すように、本考案を運転させるとき、ペダル１を回動ユニット３に設けられたペダル軸３１一端のねじ山３１１によって自転車のクランクアーム４と結合する。自転車の運転者がペダル１を踏み込むと、ペダル軸３１が回動かし、ペダル軸３１の回動につれて第１の歯車３２を経て、これとかみあう第２の歯車３３の第１の円盤３３１を回動させる。第２の歯車３３の第２の円盤３３２がこれと噛み合う永久磁石２３端面の歯部２３１を回動させ、永久磁石２３の回動によって永久磁石のＮ極およびＳ極に感応して、コイル台２２のコイル２２１に電流が生じて発電され、発光部２１の回路板２１１に必要な電力が供給されて回路板２１１で整流後、所要の電力が発光体２１２に供給されて発光体２１２が発光する。その光はペダル１上の光反射板１２によって反射されて集束強化される。
【００１５】
第２の歯車３３の第１の円盤３３１が第２の円盤３３２よりも小さく、第２の歯車３３の第１の円盤３３１が第１の歯車３２よりも小さいので、第１の歯車３２が一周回転したとき、第２の歯車３３の第１の円盤３３１は数周回転し、第１の歯車３２および第２の歯車３３が回転するときの回転速度差によって第２の円盤３３２が歯部２３１を噛み合って永久磁石２３を高速回動させ、それによって十分な発電量を確保して発光ユニット２の発光体２１２を安定的に発光させることができ、供給電力不足によって発光体２１２の発光を継続させることができなかったり、発光が点滅したりすることはない。
【００１６】
図７は、本考案の第２の実施例を示す立体分解図である。図８は本考案の第２の実施例の上面断面図である。図に示すように、本考案の装置を運転させるとき、上述の第１の実施例のように、第２の歯車３３を設置して第１の歯車３２と永久磁石２３の歯部２３１とにそれぞれ歯合させる以外に、必要に応じて第２の歯車３３の一側に他の第２の歯車３３ａを対応させて設置することができ、他の第２の歯車３３ａの第１の円盤３３１ａを第１の歯車３２と歯合させ、第２の円盤３３２ａを永久磁石２３の歯部２３１と歯合させることができる。このようにしても同様に第１の歯車３２、第２の歯車３３および他の第２の歯車３３ａが回動するときの回転速度差により永久磁石２３を高速回動させ、それによって十分な発電量を確保して発光部２１を安定的に発光させることができる。
【００１７】
上述のように、本考案の発光機能付き自転車ペダルの構造は、第１の歯車および第２の歯車が回転するときの回転速度差によって永久磁石を高速回動させ、それによって十分な発電量を確保して発光ユニットを安定的に発光させることができ、従来技術における種々の欠点を効果的に改善でき、進歩性、実用性を有し、使用者の要望を満たすことができる考案である。
【００１８】
上述の説明は本考案の好適な実施例を示したものであり、本考案の実施範囲を制限するものではない。従って、本考案の実用新案登録請求の範囲および本明細書に記載の内容の簡単な変更または修飾は全て本考案に含まれる。
【図面の簡単な説明】
【００１９】
【図１】本考案の第１の実施例を示す立体分解図である。
【図２】本考案の第１の実施例を示す斜視図である。
【図３】本考案の第１の実施例の使用状態を示す斜視図である。
【図４】本考案の第１の実施例の上面断面図である。
【図５】本考案の第１の実施例の側面断面図である。
【図６】本考案のコイル台の構造を示す模式図である。
【図７】本考案の第２の実施例を示す立体分解図である。
【図８】本考案の第２の実施例の上面断面図である。
【符号の説明】
【００２０】
１      ペダル
１１    挿入溝
１２    光反射板
１３    支持部
１４    ペダル軸孔
１５    蓋体
１５１  掛合部
２      発光ユニット
２１    発光部
２１１  回路板
２１２  発光体
２２    コイル台
２２１  コイル
２３    永久磁石
２３１  歯部
３      回動ユニット
３１    ペダル軸
３１１  ねじ山
３２    第１の歯車
３３、３３ａ  第２の歯車
３３１、３３１ａ  第１の円盤
３３２、３３２ａ  第２の円盤
３３３  軸
４      クランクアーム
【図１】
0003139256.tif 000003
【図２】
0003139256.tif 000004
【図３】
0003139256.tif 000005
【図４】
0003139256.tif 000006
【図５】
0003139256.tif 000007
【図６】
0003139256.tif 000008
【図７】
0003139256.tif 000009
【図８】
0003139256.tif 000010